(57)【要約】【課題】  木取の無駄をなくして歩留を向上させ、入力作業を迅速化し、加工及び搬送効率を高めて木材の販売を促進する原材料木材販売システムを提供することにある。【解決手段】  第１情報処理装置１ａは、住宅メーカ３、プレカット工場４又はデータ入力業者５が入力した住宅１棟分の製品データを受信し、一括して木取割付を行って、木取データを作成する。次に、木取データ及び製品データに対応する原材料木材をプレカット工場４に供給してＩＣタグを取り付けるか、又は、木材販売会社等１にてＩＣタグを原材料木材に取り付けてからプレカット工場４に供給する。何れの場合でも、原材料木材は、ＩＣタグに入力された製品データに応じて加工され、加工後の製品木材が住宅メーカ３に供給される。【選択図】  図１
2011161664.tif 000002
【特許請求の範囲】
【請求項１】
原材料木材を１又は２以上の住宅メーカに供給するシステムであって、
前記住宅メーカ、１或いは２以上のプレカット工場、又は、１或いは２以上のデータ入力業者が入力した住宅１棟分の製品データを受信し、１又は２以上棟分の前記製品データを一括して木取割付を行う第１情報処理装置を備え、
該第１情報処理装置によって作成した木取データ及び前記製品データに対応する原材料木材を１又は２以上のプレカット工場に供給し、該プレカット工場にて前記製品データのうち１本分の製品データを入力したＩＣタグを、前記原材料木材１本ずつに、前記木取データに基づき取り付けて、該ＩＣタグに入力された前記製品データに応じて加工し、加工後の製品木材を前記住宅メーカに供給することを特徴とする原材料木材販売システム。
【請求項２】
原材料木材を１又は２以上の住宅メーカに供給するシステムであって、
前記住宅メーカ、１或いは２以上のプレカット工場、又は、１或いは２以上のデータ入力業者が入力した住宅１棟分の製品データを受信し、１又は２以上棟分の前記製品データを一括して木取割付を行う第１情報処理装置を備え、
木材製造メーカ、又は木材販売会社にて前記製品データのうち１本分の製品データを入力したＩＣタグを、前記原材料木材１本ずつに、前記木取データに基づき取り付けて、前記第１情報処理装置によって作成した木取データ及び前記製品データに対応する原材料木材を１又は２以上のプレカット工場に供給し、該ＩＣタグに入力された前記製品データに応じて加工し、加工後の製品木材を前記住宅メーカに供給することを特徴とする原材料木材販売システム。
【請求項３】
前記製品データは、土台、梁、桁、小屋、柱という部位に分けて、前記住宅メーカ、前記プレカット工場、又は前記データ入力業者が分担して入力し、該製品データに基づいて、前記原材料木材を前記２以上のプレカット工場に前記土台、梁、桁、小屋、柱という部位に分けて供給することを特徴とする請求項１又は２に記載した原材料木材販売システム。
【請求項４】
前記住宅１棟分の製品データは、生産地、原材料木材の製造メーカ名、製造日、樹種、等級、強度、含水率、断面形状、長さ、製品保証期限、立米単価、製品長、機械加工データ、手加工データ、住宅メーカ名、建設現場住所、使用時期を含んでいることを特徴とする請求項１乃至３のいずれか一つに記載した原材料木材販売システム。
【請求項５】
前記ＩＣタグから前記製品データを読み込み、前記製品木材を、所望の時期に住宅建設現場に搬送するように処理することを特徴とする請求項１乃至４のいずれか一つに記載した原材料木材販売システム。
【請求項６】
前記ＩＣタグ読込プログラム及びプレカット加工機データリンクプログラムを具備した第２情報処理装置を用いて、前記プレカット工場にて、前記ＩＣタグから前記製品データを読み込んで、プレカット機械加工し、及び（又は）読み込んだ製品データを表示して、手加工を施すことを特徴とする請求項１乃至５のいずれか一つに記載した原材料木材販売システム。
【請求項７】
前記ＩＣタグ読込プログラム及び検品プログラムを具備した第３情報処理装置を用いて、前記ＩＣタグから前記製品データを読み込み、製品検査と欠品検査を行うことを特徴とする請求項１乃至６のいずれか一つに記載した原材料木材販売システム。
【請求項８】
前記ＩＣタグから前記製品データを読み込み、製品検査データと照合して所望の原材料木材が使用されているかを判定して表示するように処理するＩＣタグ読込検査プログラムを具備した第４情報処理装置を用いて、建設途中又は建設後に木材検査することを特徴とする請求項１乃至６のいずれか一つに記載した原材料木材販売システム。
【発明の詳細な説明】
【技術分野】
【０００１】
本発明は、住宅等の建設に必要な各種情報を、一括して処理することで、効率良く原材料木材を加工し、管理し易い状態で製品木材として供給すると共に、適宜容易に検査することを可能にした原材料木材販売システムに関するものである。
【背景技術】
【０００２】
一般に、原材料木材を効率良く加工及び供給するには、１棟分の原材料木材をまとめて木取割付することで効率を高めることが行われていた。例えば、住宅建造材のプレカットには、断面形状や樹種、等級、レイヤという仕様毎に数種類の長さの原材料木材が用意され、そこから決められた長さの製品木材を切り出す。一般的な住宅の場合、梁、桁、土台など横架材といわれる構造材には約２０種類の仕様がある。製品の仕様毎に用意された数種類の長さの原材料木材から、これらの構造材がそれぞれ平均１０本、１棟分を合計すると約２００本の製品木材が切り出される。製品の仕様、製品のサイズ、切り出される原材料木材の組み合わせにより、原材料木材から切り落とされて無駄になる部分の量が異なる。そこで、部材割付方法を改善する技術が開発された（例えば、特許文献１参照）。
【０００３】
しかしながら、上記のような１棟分の木取では歩留向上に限界があり、より歩留を向上させることは困難であった。また、１棟ずつ木取割付を行って加工すると、１棟分の全データの入力に関する教育や慣れが必要であり、入力作業に時間がかかるという問題もあった。更に、１棟分の様々な加工を同一コンベア上で行うため、コンベア上での滞留時間が長くなるという問題もあった。
【０００４】
一方、自動倉庫に切断装置を設け、長さ切断することにより半製品に加工し、その半製品をプレカット工場に供給し、原材料木材に第１の認証タグを取り付け、半製品に第２の認証タグを取り付けて、プレカット加工の効率を高めると共に管理を容易にすることが提案されている（例えば、特許文献２参照）。
【０００５】
このようにプレカット工場に半製品を供給すると、プレカット工場において効率良く加工を行って在庫を削減することができ、また、認証タグを使用することで、原材料木材に印字された材番を目視で検査する必要がなく、プレカット工場や建設現場での木材の欠品や品質の検査を読み取り装置を用いて容易に調べることができる。しかしながら、この従来技術においても、１棟分の木取割付を行う限り、歩留を向上させることは困難であった。また、倉庫に切断装置を必要としたり、プレカット工場に１棟分の加工ができる大型の装置が必要になるという問題もあった。また、プレカット工場では、多樹種、多量の原材料木材の在庫が必要であった。更に、この従来技術でも、１棟分の様々な加工を同一コンベア上で行うため、コンベア上での滞留時間が長くなるという問題を解決することはできなかった。
【先行技術文献】
【特許文献】
【０００６】
【特許文献１】特許３５６５２６２号公報
【特許文献２】特開２００７−３０１９５９号公報
【発明の概要】
【発明が解決しようとする課題】
【０００７】
本発明は、上記従来技術の問題を解決し、木取の無駄をなくして歩留を更に向上させ、入力作業の迅速化を可能にし、加工及び搬送効率を高めて時間を短縮して木材の販売を促進する原材料木材販売システムを提供するものである。
【課題を解決するための手段】
【０００８】
本発明に係る原材料木材販売システムは、原材料木材を１又は２以上の住宅メーカに供給するシステムであって、前記住宅メーカ、１或いは２以上のプレカット工場、又は、１或いは２以上のデータ入力業者が入力した住宅１棟分の製品データを受信し、１又は２以上棟分の前記製品データを一括して木取割付を行う第１情報処理装置を備え、該第１情報処理装置によって作成した木取データ及び前記製品データに対応する原材料木材を１又は２以上のプレカット工場に供給し、該プレカット工場にて前記製品データのうち１本分の製品データを入力したＩＣタグを、前記原材料木材１本ずつに、前記木取データに基づき取り付けて、該ＩＣタグに入力された前記製品データに応じて加工し、加工後の製品木材を前記住宅メーカに供給するものである。
【０００９】
また、本発明の原材料木材販売システムは、原材料木材を１又は２以上の住宅メーカに供給するシステムであって、前記住宅メーカ、１或いは２以上のプレカット工場、又は、１或いは２以上のデータ入力業者が入力した住宅１棟分の製品データを受信し、１又は２以上棟分の前記製品データを一括して木取割付を行う第１情報処理装置を備え、木材製造メーカ、又は木材販売会社にて前記製品データのうち１本分の製品データを入力したＩＣタグを、前記原材料木材１本ずつに、前記木取データに基づき取り付けて、前記第１情報処理装置によって作成した木取データ及び前記製品データに対応する原材料木材を１又は２以上のプレカット工場に供給し、該ＩＣタグに入力された前記製品データに応じて加工し、加工後の製品木材を前記住宅メーカに供給するものでもある。
【００１０】
上記システムにおける前記製品データは、土台、梁、桁、小屋、柱という部位に分けて、前記住宅メーカ、前記プレカット工場、又は前記データ入力業者が分担して入力し、このシステムでは、該製品データに基づいて、前記原材料木材を前記２以上のプレカット工場に前記土台、梁、桁、小屋、柱という部位に分けて供給している。また、前記住宅１棟分の製品データは、生産地、原材料木材の製造メーカ名、製造日、樹種、等級、強度、含水率、断面形状、長さ、製品保証期限、立米単価、製品長、機械加工データ、手加工データ、住宅メーカ名、建設現場住所、使用時期を含んだものとなっている。
【００１１】
また、この原材料木材販売システムでは、前記ＩＣタグから前記製品データを読み込み、前記製品木材を、所望の時期に住宅建設現場に搬送するように処理する。
【００１２】
また、この原材料木材販売システムでは、前記ＩＣタグ読込プログラム及びプレカット加工機データリンクプログラムを具備した第２情報処理装置を用いて、前記プレカット工場にて、前記ＩＣタグから前記製品データを読み込んでプレカット機械加工し、及び（又は）読み込んだ製品データを表示して、手加工を施すものとなっている。
【００１３】
また、この原材料木材販売システムでは、前記ＩＣタグ読込プログラム及び検品プログラムを具備した第３情報処理装置を用いて、前記ＩＣタグから前記製品データを読み込み、製品検査と欠品検査を行うものとなっている。
【００１４】
また、この原材料木材販売システムでは、前記ＩＣタグから前記製品データを読み込み、製品検査データと照合して所望の原材料木材が使用されているかを判定して表示するように処理するＩＣタグ読込検査プログラムを具備した第４情報処理装置を用いて、建設途中又は建設後に検査するものとなっている。
【発明の効果】
【００１５】
本発明の原材料木材販売システムにおいては、住宅メーカ、プレカット工場又はデータ入力業者が入力した住宅１棟分の建設に必要な製品データを受信して、それを一括して木取割付を行う第１情報処理装置を設けている。このように一括して複数棟分のデータをまとめてから木取割付を行っているため、最適な割付が可能となり、無駄をなくして歩留を向上させることができる。
【００１６】
また、住宅メーカ等の各専門部署からそれぞれの製品データを入力する形態とすれば、各専門部署における入力作業に特別な教育や慣れが必要とされず、迅速かつ簡単にデータ入力作業を行うことができる。
【００１７】
また、上記第１情報処理装置によって作成した木取データと、製品データに対応する原材料木材を１セットにしてプレカット工場に供給しているので、プレカット工場における在庫並びにその管理が必要なくなり、流通効率を高めてコストを削減することができる。また、複数棟分の原材料木材を組合せて加工しているため、各部位毎にまとめて加工を行うこと等により、大型の装置を必要とせず、コンベア上での滞留時間も効率を高めて短縮することができる。
【００１８】
また、プレカット工場あるいは木材製造メーカ又は木材販売会社にて、製品データを入力したＩＣタグを取り付け、その製品データに応じて加工した製品木材を住宅メーカに供給しているので、製品木材の欠品、品質等を容易に把握することができる。また、製品木材の搬入時期等も容易に把握することができ、建設現場での作業効率も向上させることができる。更に、建設途中あるいは完成した住宅の検査を行う場合に、ＩＣタグの位置さえ判別できれば隠れている木材の検査も容易に行うことができる。
【００１９】
また、一括して集められた製品データから原材料木材の体積当たりの費用を算出することができ、木材製造メーカに一括手配することができる。これにより、従来大まかに算出されていた坪当たりの費用に比べて、より細密で正確な費用を算出することができ、効率的な原材料木材の手配ができる。
【００２０】
また、プレカット工場から建設現場に搬送する製品木材を、建設の順番に従って部位毎に搬送時期を管理することができる。
【図面の簡単な説明】
【００２１】
【図１】図１は、本発明の一実施例に係る原材料木材販売システムの概要を示すブロック図である。
【図２】図２は、図１に示すシステムにおけるプレカット前の原材料木材にＩＣタグを取り付けた状態を示す斜視図である。
【図３】図３は、図１に示すシステムのネットワークによる情報の伝達状態を示すブロック図である。
【図４】図４は、図１及び図３に示すシステムにおける原材料木材及び製品木材の流れ及びその検査状態を示すブロック図である。
【発明を実施するための形態】
【００２２】
本発明の原材料木材販売システムにおいては、第１情報処理装置が、住宅メーカ又はプレカット工場又はデータ入力業者が入力した住宅１棟分の製品データを受信し、一括して木取割付を行って、木取データを作成する。ここで、木取データ及び製品データに対応する原材料木材をプレカット工場に供給してプレカット工場にてＩＣタグを取り付けるか、又は、木材製造メーカ或いは木材販売会社にてＩＣタグを原材料木材に取り付けてからプレカット工場に供給する。何れの場合においても、原材料木材は、ＩＣタグに入力された製品データに応じて加工され、加工後の製品木材が住宅メーカに供給される。
【００２３】
上記原材料木材販売システムにおいては、一括してデータを集めて処理すると共に、簡単に複数棟分のデータをまとめることができ、無駄をなくして原材料木材の歩留を向上させることができる。
【実施例】
【００２４】
以下図面に基づいて本発明の実施例を説明する。図１は本発明の一実施例に係る原材料木材販売システムの概要を示すブロック図、図２は原材料木材を示す斜視図であり、はじめに図１及び図２を用いてシステムの概要を説明する。尚、図１中、実線の矢印は木材の流れを示し、破線の矢印は情報の流れ、一点鎖線の矢印はＩＣタグの流れを示している。１は原材料木材を供給し且つこのシステムを統括する木材販売会社、木材製造メーカ等の木材販売会社等である。この木材販売会社等１には、施主２によって住宅の建設が依頼された住宅メーカ３から住宅１棟分の製品データが供給される。また、この木材販売会社等１には、原材料木材を製品木材に加工するプレカット工場４や、加工データを作成するデータ入力業者５からも住宅１棟分の製品データが供給される。
【００２５】
この住宅メーカ３、プレカット工場４及びデータ入力業者５はそれぞれ２以上の複数であっても良いものであり、プレカット工場４やデータ入力業者５の場合には、住宅の部位（例えば土台、梁、桁、柱、小屋、柱等）の加工に関するそれぞれのプレカット工場やデータ入力業者があり、このような住宅メーカ３、プレカット工場４又はデータ入力業者５が部位別に分担して製品データを入力する。
【００２６】
このようにして入力された住宅１棟分の製品データは、生産地、原材料木材の製造メーカ名、製造日、樹種、等級、強度、含水率、断面形状、長さ、製品保証期限、立米単価、製品長、機械加工データ、手加工データ、住宅メーカ名、建設現場住所、使用時期を含んでいる。
【００２７】
また、木材販売会社等１は、上記のように住宅メーカ３、プレカット工場４、データ入力業者５からそれぞれ供給される製品データを一括して処理する第１情報処理装置１ａを備えている。この第１情報処理装置１ａに住宅メーカ３等から住宅１棟分の建設に必要な製品データが供給されると、第１情報処理装置１ａは、その製品データを複数棟分まとめ、一括して木取割付を行って、木取データを作成する。尚，製品データは、住宅メーカ３、プレカット工場４、データ入力業者５がそれぞれ土台、梁、桁、小屋、柱という部位に分けて入力しているため、製品データはそれぞれの部位毎にまとめられる。
【００２８】
ここで、木材販売会社等１は、作成した木取データと、製品データに対応する原材料木材をプレカット工場４に供給する。原材料木材は、製品データに基づいて土台、梁、桁、小屋、柱という部位に分けてそれぞれのプレカット工場４に供給される。このときに、図２に示すように、木材販売会社等１においてＩＣタグ６に１本分の製品データを入力して木取データ及び製品データに対応する原材料木材７に取り付けるか、又は、プレカット工場４においてＩＣタグ６に１本分の製品データを入力して木取データ及び製品データに対応する原材料木材７に取り付ける。
【００２９】
何れの場合においても、図２に示すように、例えば、この原材料木材７が、Ａ棟、Ｂ棟、Ｃ棟等の複数の住宅用製品木材として木取割付されて切削加工される場合、Ａ棟用製品木材部分７ａ、Ｂ棟用製品木材部分７ｂ、Ｃ棟用製品木材部分７ｃに木取割付され、それぞれに必要な１本分の製品データを入力したＩＣタグ６を取り付ける。その際に、ＩＣタグ６は、切断、切削、搬送等に影響を与えない位置に配置される。また、搬送時等にＩＣタグ６が破損しないように、ＩＣタグ６を樹脂でカバーしたり、原材料木材７の面又は角部に設けた凹部内に収めることが好ましい。
【００３０】
このように、それぞれ１本分の製品データを入力したＩＣタグ６が取り付けられた原材料木材７は、プレカット工場４にて、製品データに応じて製品木材に加工される。プレカット工場４には、ＩＣタグ読込プログラム及びプレカット加工機データリンクプログラムを具備した第２情報処理装置４ａが設けられている。この第２情報処理装置４ａは、それぞれのＩＣタグ６から製品データを読み込んで、プレカット加工機とデータリンクしてプレカット機械加工を行う。また、第２情報処理装置４ａは、上記のような機械加工と一連に或いは別個に、ＩＣタグ６から読み込んだ製品データを表示して、手加工を施すことも可能としている。
【００３１】
その後、プレカット工場４から住宅メーカ３の住宅建設現場に製品木材を搬送するときには、ＩＣタグ６から製品データを読み込み、製品データに基づいて所望の時期に搬送するように処理する。製品木材の搬送時期は、製品データにおける使用時期等や土台、梁等の部位に応じて、第２情報処理装置４ａ或いはその他の処理装置を用いて演算処理することにより適正な時期が設定される。そして、製品木材は、配送業者８によりプレカット工場４から住宅メーカ３の建設現場へと搬送される。
【００３２】
このときに、プレカット工場４において、或いは携帯可能な情報処理装置として、ＩＣタグ読込プログラム及び検品プログラムを具備した第３情報処理装置９を設け、これを用いてＩＣタグ６から製品データを読み込み、製品が適当か製品検査を行い、欠品がないか欠品検査を行う。この製品検査及び欠品検査は、ＩＣタグ６から製品データを読み込めば、製品木材の搬出時、搬送中、建築現場到着時など、どこでも検査が可能である。
【００３３】
上記のようにプレカット工場４から住宅メーカ３に搬送された製品木材は、住宅建設に供される。ここで、ＩＣタグ６から製品データを読み込み、製品検査データと照合して所定の原材料木材が使用されているかを判定して表示するように、処理するＩＣタグ読込検査プログラムを具備した第４情報処理装置１０を用いて、木材検査を行う。この木材検査は、ＩＣタグ６から製品データを読み込むことができれば、建設途中又は建設後の何れでも行うことが可能であり、使用された原材料木材の照合ができる。
【００３４】
上記システムにおいては、木材販売会社等１が製品データを収集し、一括して木取データを作成し、この木取データと製品データに対応する原材料木材に、１本分の製品データを入力したＩＣタグ６を取り付け、そのＩＣタグ６の製品データに応じて加工、搬送及び検査しているため、無駄なく木取割付して製品木材を加工し、それを効率良く搬送すると共に適宜検査することが可能となる。これにより、原材料木材７の販売効率を高めることができる。
【００３５】
図３は、図１に示すシステムのネットワークによる情報の伝達状態を示すブロック図である。このシステムにおける木材販売会社等１は、木材販売会社と複数の木材製造メーカを含んでおり、それぞれ所定の機能を有する情報処理装置及び必要なソフトウェア群（以下「情報処理装置等」と略称する）１１，１２，１３を具備している。その中でも情報処理装置等１１が上述した第１情報処理装置１ａとしての機能を有するものとなっている。従って、この情報処理装置等１１は、収集した製品データから木取データを作成する機能を有している。
【００３６】
プレカット工場４は、土台、梁桁、柱、小屋等の部位毎に製品データの入力及び出力が可能な情報処理装置等１４，１５，１６，１７を具備するか又は各部位毎のプレカット工場がそれぞれその情報処理装置を具備している。この情報処理装置等１４〜１７は、各部位毎に製品データを処理するものであり、その入力操作に関して特別な教育等をすることなく、通常の作業の一貫として本実施例のシステムに組み込むことができる。尚、この情報処理装置等１４〜１７は、それぞれ上述した第２情報処理装置４ａとしての機能、即ち、ＩＣタグ６から製品データを読み込み、プレカット加工機とデータリンクし、プレカット加工を行う処理機能を有している。
【００３７】
また、データ入力業者５も、土台、梁桁、柱、小屋等の部位毎に情報処理装置等１８，１９，２０，２１を具備しており、上記情報処理装置等１４〜１７と同様に特別な入力作業をすることなく本システムに組み込むことが可能なものとなっている。また、住宅メーカ３は、各社がそれぞれ情報処理装置等２２，２３を備えている。更に、運送会社８も各社がそれぞれ情報処理装置等２４，２５を備えている。
【００３８】
このシステムにおいては、ネットワークＮ１を介して、住宅メーカ３、データ入力業者５の情報処理装置等１８〜２３から送信された住宅１棟分の製品データを、各部位毎に分けて、木材販売会社等１の情報処理装置等１１が受信するものとなっている。尚、プレカット工場４からもネットワークＮ２を介して同様のデータを受信するように構成しても良い。そして、前述したように、情報処理装置等１１は、受信した製品データから一括して木取データを作成する。
【００３９】
この木取データは、ネットワークＮ２を介してプレカット工場４の情報処理装置等１４〜１７にそれぞれ部位毎に送信される。また、このときに、加工及び検査に必要な製品データが情報処理装置等１１からネットワークＮ２，Ｎ３を介してプレカット工場４の情報処理装置等１４〜１７と住宅メーカ３の情報処理装置等２２，２３にそれぞれ送信される。
【００４０】
一方、木材販売会社は、その情報処理装置等１１から木材製造メーカの情報処理装置等１２，１３に、ネットワークＮ４を介して、木取データ及び製品データを送信することで、その木取データ及び製品データに応じた原材料木材をプレカット工場４に搬送するように指示する。この搬送の指示は、ネットワークＮ４を介して配送業者８の情報処理装置等２４，２５にも送信され、更に、配送業者８からネットワークＮ２を介してプレカット工場４に配送状況等が送信される。
【００４１】
この実施例においては、木材販売会社、木材製造メーカ及びプレカット工場４にて製品データを共有しているため、図２に示すように、何れにおいてもＩＣタグ６に製品データを入力して原材料木材７に適宜取り付けることができる。
【００４２】
プレカット工場４では、ＩＣタグ６から製品データを読み込み、読み込んだ製品データに応じて原材料木材７にプレカット加工を施す。欠品、検査等の確認は、木材販売会社等１、住宅メーカ３及びプレカット工場４が製品データを共有することで、何れにおいても容易に確認することができる。
【００４３】
図４は、このシステムにおける原材料木材及び製品木材の流れ及びその検査状態を示すブロック図である。本実施例においては、木材販売会社等１の木材製造メーカにおいてＩＣタグ６（図２参照）を取り付けるように構成しているため、この木材製造メーカにＩＣタグ付帯装置２６，２７が設置されている。このＩＣタグ付帯装置２６，２７によりＩＣタグ６が取り付けられた原材料木材７は、配送業者８によってプレカット工場４に搬送される。
【００４４】
プレカット工場４には、土台、梁桁、柱、小屋等の部位毎に設けられると共にＩＣタグ読込、データリンク機能及び検品機能を有する読込検品装置２８，２９，３０，３１が設けられている。この読込検品装置２８〜３１は、前述した第２情報処理装置４ａ、第３情報処理装置９の機能を備えたものとなっている。この読込検品装置２８〜３１により、ＩＣタグから製品データを読み込んで、搬送された原材料木材にプレカット加工を施すと共に欠品等を検査することができる。このように加工、検査された製品木材は、再び配送業者８によって住宅メーカ３の建設現場に配送される。
【００４５】
住宅メーカ３には、第３情報処理装置９の機能を備えた検品装置３２，３３が設けられており、搬送された製品木材のＩＣタグから製品データを読み込んで、その製品木材が所定のものであるか、欠品がないかを検査し、建設を行う。
【００４６】
その後、設計時等に指定された原材料木材の使用等を検査するため、住宅検査業者がその検査装置３４を使用して建設中或いは建設後にＩＣタグから製品データを読み込んで木材検査を行う。この検査装置３４は、前述した第４情報処理装置１０の機能を備えたものとなっている。
【００４７】
このように、ＩＣタグからデータを読み込むことで、木材の加工、検品、検査を行いながら迅速に搬送することが可能となる。これにより、木材の販売を促進することができる。
【符号の説明】
【００４８】
１      木材販売会社等
１ａ    第１情報処理装置
２      施主
３      住宅メーカ
４      プレカット工場
４ａ    第２情報処理装置
５      データ入力業者
６      ＩＣタグ
７      原材料木材
７ａ    Ａ棟用製品木材部分
７ｂ    Ｂ棟用製品木材部分
７ｃ    Ｃ棟用製品木材部分
８      配送業者
９      第３情報処理業者
１０    第４情報処理業者
１１〜２５  情報処理装置等
２６，２７  ＩＣタグ付帯装置
２８〜３１  読込検品装置
３２，３３  検品装置
３４        検査装置
【図１】
2011161664.tif 000003
【図２】
2011161664.tif 000004
【図３】
2011161664.tif 000005
【図４】
2011161664.tif 000006